(57)【要約】【課題】互いに通信可能に接続されたテレビ会議装置１０及びプロジェクター３０のうち、プロジェクター３０をどちらのリモコンでも同様に操作しつつ、ユーザーの意図しない余計な操作の発生を回避する。【解決手段】テレビ会議装置１０との接続を検知している場合には、プロジェクターリモコン４９から送られてくる命令信号に加えて、会議用リモコン２９から送られてくる命令信号も受け付ける処理を実施するように、プロジェクター３０を構成した。更に、プロジェクター３０との接続を検知している場合には、会議用リモコン２９から送られてくる命令信号を受け付けない処理を実施するように、テレビ会議装置１０を構成した。【選択図】図１
2016019020.tif 000002
【特許請求の範囲】
【請求項１】
リモコン送信機による無線操作が可能な第１電気機器と、リモコン送信機による無線操作が可能で、且つ有線又は無線によって前記第１電気機器に通信可能に接続された状態で前記第１電気機器から送られてくる所定の信号を利用して所定の処理を実施する第２電気機器とを備える電気機器システムにおいて、
前記第１電気機器と前記第２電気機器とが有線又無線によって通信可能に接続されていることを検知する接続検知手段を、前記第１電気機器及び前記第２電気機器に設け、
前記第１電気機器及び前記第２電気機器のうち、何れか一方の前記接続検知手段によって接続が検知されている場合に、前記一方を操作するためのリモコン送信機である一方用リモコン送信機から送られてくる命令信号に加えて、他方を操作するためのリモコン送信機である他方用リモコン送信機から送られてくる命令信号も受け付ける処理を実施するように、前記一方を構成し、
且つ、前記他方の前記接続検知手段によって接続が検知されている場合には、前記他方用リモコン送信機から送られてくる命令信号を受け付けない処理を実施するように、前記他方を構成したことを特徴とする電気機器システム。
【請求項２】
請求項１の電気機器システムにおいて、
前記一方用リモコン送信機や前記他方用リモコン送信機から送られてくる命令信号のうち、所定の命令を行うための命令信号を受信した場合に、前記命令を行うための命令信号を前記他方に送信する処理を実施するように、前記一方を構成したことを特徴とする電気機器システム。
【請求項３】
請求項２の電気機器システムにおいて、
前記一方の各種パラメータを設定するための一方用メニュー画面、及び前記他方の各種パラメータを設定するための他方用メニュー画面を表示する表示手段を前記一方に設け、
前記一方用メニュー画面が前記表示手段に表示されているときに、前記一方用リモコン送信機や前記他方用リモコン送信機から送られてくる命令信号のうち、所定の命令を行うための命令信号を前記他方に送信しない一方で、前記他方用メニュー画面が前記表示手段に表示されているときに、前記命令信号を他方に送信する処理を実施するように、前記命令信号送信手段を構成したことを特徴とする電気機器システム。
【請求項４】
請求項１乃至３の何れかの電気機器システムにおいて、
前記一方用リモコン送信機に設けられた複数の操作キーと、前記他方用リモコン送信機に設けられた複数の操作キーとのうち、互いに同じ命令を行うための操作キーについては、それぞれその操作キーの押下に基づいて発する命令信号として、互いに同じ命令コマンドを含めたものを発信する処理を実施するように、前記一方用リモコン送信機及び前記他方用リモコン送信機を構成したことを特徴とする電気機器システム。
【請求項５】
請求項１乃至４の何れかの電気機器システムであって、
前記第１電気機器が、自らの周囲にいる人物と遠隔地にいる人物との会議を可能にするために、前記遠隔地に配設された通信機器との通信ネットワークを介した通信により、自らと前記通信機器とで映像信号及び音声信号を通信する遠隔会議装置であり、
且つ、前記第２電気機器が、前記遠隔会議装置から出力される映像信号及び音声信号に基づく映像及び音声を画像表示及び音声出力で再現する画像音声再現装置であることを特徴とする電気機器システム。
【発明の詳細な説明】
【技術分野】
【０００１】
本発明は、リモコン送信機による無線操作が可能な第１電気機器と、リモコン送信機による無線操作が可能で、且つ有線又は無線によって第１電気機器に通信可能に接続される第２電気機器とを備える電気機器システムに関するものである。
【背景技術】
【０００２】
近年、電気機器の発展に伴って、一般家庭やオフィスにおいて、複数の電気機器を互いに通信可能に接続して使用する電気機器システムを構築する機会が増えている。例えば、電気機器システムとして、次のような映像再生システムを構築することは一般家庭で広く行われている。即ち、デジタルレコーダーのＨＤＭＩ（登録商標）出力端子と、デジタルテレビのＨＤＭＩ入力端子とをＨＤＭＩケーブルで接続し、デジタルレコーダーから出力される映像及び音声をデジタルテレビで再生する映像再生システム（例えば特許文献１に記載のもの）である。
【０００３】
かかる映像再生システムにおいて、ＨＤＭＩケーブルで接続されたデジタルテレビ（以下、テレビと言う）とデジタルレコーダー（以下、レコーダーと言う）との間では、互いに相手側に対して必要に応じた制御信号を送信して相手側を制御することが可能である。例えば、次のような制御を行う映像再生システムも知られている。即ち、レコーダーは、レコーダー用リモコンから電源ＯＮの制御信号を受信すると、テレビにいくつかの制御信号をＨＤＭＩケーブル経由で送る。電源ＯＮのための制御信号、映像の入力をレコーダーに切り替えるための制御信号、テレビに対してレコーダー用のソフトウエア操作キーを表示させるための制御信号などである。これにより、ユーザーは、レコーダー用リモコンによってレコーダーに対して電源ＯＮの命令を行うだけで、レコーダーの電源をＯＮにするだけでなく、テレビの電源も自動でＯＮにすることができる。また、電源がＯＮになったテレビの画面にレコーダーからの映像を自動で表示させたり、レコーダーをテレビ用のリモコンで操作するためのソフトウエア操作キーを画面の一部に自動で表示させたりすることができる。ユーザーがテレビ用リモコンの矢印キーなどにより、画面の一部に表示されているソフトウエア操作キーを操作すると、テレビがその操作に応じた制御信号をＨＤＭＩケーブル経由でレコーダーに送る。これにより、ユーザーは、テレビを介してレコーダーに対して再生命令などを行うことができる。
【０００４】
このように、レコーダー用リモコンによってレコーダーだけでなくテレビも操作したり、テレビ用リモコンによってテレビだけでなくレコーダーも操作したりすることが可能な映像再生システムが知られている。
【発明の概要】
【発明が解決しようとする課題】
【０００５】
このような映像再生システムに限らず、互いに通信可能に接続される２つの電気機器を備える電気機器システムでは、通信可能な２つの電気機器を互いに近距離に配設して、テレビ用リモコン及びレコーダー用リモコンを同じ場所に置いておくのが一般的である。また、それらのリモコンは、互いに同様の命令操作を行うための同種の操作キーを多く備えているのが一般的である。例えば、一般に、レコーダー用リモコンやテレビ用リモコンは、チャンネルキー、メニューキー、各種の矢印キー、入力切替キーなどをそれぞれ備えている。よって、テレビ及びレコーダーのうち、少なくとも一方（例えばより頻繁に使用する方）については、どちらの電気機器のリモコンでも同様に操作することができれば、利便性が非常に向上することになる。
【０００６】
しかしながら、前述した従来の映像再生システムでは、他方のリモコンによって一方のリモコンと同様の操作を行うことができなかった。具体的には、一方のリモコンとしてのテレビ用リモコンで電源ＯＮの操作を行うと、テレビの電源だけがＯＮになる。これと同様の操作を行う狙いで、他方のリモコンとしてのレコーダー用リモコンで電源ＯＮの操作を行うと、テレビの電源をＯＮにするだけでなく、ユーザーの意図しない余計な操作を発生させてしまう。レコーダーの電源をＯＮにしたり、テレビの映像入力をレコーダーに切り替えたり、テレビの画面の一部にソフトウエア操作キーを表示させたりなどの操作である。
【０００７】
本発明は、以上の背景に鑑みてなされたものであり、その目的とするところは、次のような電気機器システムを提供することである。即ち、互いに通信可能に接続された第１電気機器及び第２電気機器のうち、少なくとも何れか一方をどちらの電気機器のリモコンでも同様に操作しつつ、ユーザーの意図しない余計な操作の発生を回避することができる電気機器システムである。
【課題を解決するための手段】
【０００８】
上記目的を達成するために、本発明は、リモコン送信機による無線操作が可能な第１電気機器と、リモコン送信機による無線操作が可能で、且つ有線又は無線によって前記第１電気機器に通信可能に接続された状態で前記第１電気機器から送られてくる所定の信号を利用して所定の処理を実施する第２電気機器とを備える電気機器システムにおいて、前記第１電気機器と前記第２電気機器とが有線又無線によって通信可能に接続されていることを検知する接続検知手段を、前記第１電気機器及び前記第２電気機器に設け、前記第１電気機器及び前記第２電気機器のうち、何れか一方の前記接続検知手段によって接続が検知されている場合に、前記一方を操作するためのリモコン送信機である一方用リモコン送信機から送られてくる命令信号に加えて、他方を操作するためのリモコン送信機である他方用リモコン送信機から送られてくる命令信号も受け付ける処理を実施するように、前記一方を構成し、且つ、前記他方の前記接続検知手段によって接続が検知されている場合には、前記他方用リモコン送信機から送られてくる命令信号を受け付けない処理を実施するように、前記他方を構成したことを特徴とするものである。
【発明の効果】
【０００９】
本発明によれば、互いに通信可能に接続された第１電気機器及び第２電気機器のうち、少なくとも何れか一方をどちらの電気機器のリモコンでも同様に操作しつつ、ユーザーの意図しない余計な操作の発生を回避することができるという優れた効果がある。
【図面の簡単な説明】
【００１０】
【図１】実施形態に係るテレビ会議システムの概略構成を示す斜視図。
【図２】同テレビ会議システムにおけるテレビ会議装置の電気回路の要部を示すブロック図。
【図３】同テレビ会議システムにおけるプロジェクターの電気回路の要部を示すブロック図。
【図４】同プロジェクター経由で同テレビ会議装置を操作する態様を説明するための模式図。
【図５】命令信号のデータ構造を説明するための模式図。
【図６】同プロジェクターから出力される第１メニュー画面を示す模式図。
【図７】同プロジェクターから出力される第２メニュー画面を示す模式図。
【発明を実施するための形態】
【００１１】
以下、本発明を適用した電気機器システムの一実施形態として、テレビ会議システムの実施形態について説明する。
まず、実施形態に係るテレビ会議システムの基本的な構成について説明する。図１は、実施形態に係るテレビ会議システムの概略構成を示す斜視図である。このテレビ会議システムは、第１電気機器たるテレビ会議装置１０、これを無線操作するための会議用リモコン２９、第２電気機器たるプロジェクター３０、これを無線操作するためのプロジェクターリモコン４９などを備えている。テレビ会議装置１０は、通信ネットワークとしての有線ＬＡＮ５０を介して、遠隔地にある図示しない通信装置と通信することが可能になっている。また、有線ＬＡＮ５０を介して、プロジェクター３０と通信することも可能になっている。そして、自らの周囲にいる人物と、遠隔地にいる人物との会議を可能にするために、周知の技術を用いた有線ＬＡＮ５０を介した通信により、自らと前記通信機器とで映像信号及び音声信号を通信する。そして、受信した映像信号及び音声信号に基づいて、プロジェクター３０に出力するための映像信号や音声信号を生成する。そして、生成した映像信号については、映像出力端子に出力する。また、生成した音声信号については、音声入出力インターフェースによってデジタルデータをアナログデータに変換した後、自らのスピーカーからアナログ音声として出力する。
【００１２】
なお、通信ネットワークとして、有線ＬＡＮ５０を用いる代わりに、無線ＬＡＮを用いてもよい。
【００１３】
テレビ会議装置１０とプロジェクター３０とは、有線ＬＡＮによって通信可能に接続されているとともに、ＲＧＢケーブルやＤＶＩケーブルなどの映像ケーブル５５によっても通信可能に接続されている。有線ＬＡＮによる通信は双方向であるのに対し、映像ケーブルによる通信はテレビ会議装置１０からプロジェクター３０への一方向である。テレビ会議装置１０の映像出力端子から出力された映像信号は、映像ケーブルと、プロジェクター１０の映像入力端子とを介して、プロジェクター１０に受信される。プロジェクター１０は、周知の技術により、受信した映像信号に基づく映像を図示しないスクリーンに投写する。ユーザーは、スクリーンに投写された遠隔地の人物の映像を見たり、テレビ会議装置１０のスピーカーから出力される音声を聞いたりして、遠隔地の人物の挙動や発言をリアルタイムで認識することができる。
【００１４】
また、テレビ会議装置１０は、自らのマイクによって受信した音声データをデジタル変換処理によって音声信号にするとともに、自らのカメラによって撮影した映像のデジタルデータである映像信号を構築したりする。そして、それらの音声信号や映像信号を、有線ＬＡＮを介して遠隔地の通信装置に送信する。遠隔地にいる人物は、通信装置に表示される映像や通信装置から出力される音声により、テレビ会議装置１０の周囲にいる人物の挙動や発言をリアルタイムで認識することができる。
【００１５】
図２は、テレビ会議装置１０の電気回路の要部を示すブロック図である。テレビ会議装置１０は、映像出力端子１１、カメラ１２、マイク１３、スピーカー１４、リモコン受信部１５、映像Ｉ／Ｆ（インターフェース）１６、撮像素子Ｉ／Ｆ１７、音声入出力Ｉ／Ｆ１８などを有している。また、ネットワークＩ／Ｆ１９、操作部２０、ＣＰＵ２１、ＳＳＤ（Solid State Drive）２２、フラッシュメモリー２３、電源回路２４、アドレスバスやデータバス等からなるバスラインなども有している。リモコン受信部１５、映像Ｉ／Ｆ１６、撮像素子Ｉ／Ｆ１７、音声入出力Ｉ／Ｆ１８、ネットワークＩ／Ｆ１９、操作部２０、ＣＰＵ２１、及びＳＳＤ２２は、バスラインを介して互いに電気的に接続されている。また、映像出力端子１１は、単独で映像Ｉ／Ｆ１６に電気的に接続されている。また、カメラ１２は、単独で撮像素子Ｉ／Ｆ１７に電気的に接続されている。また、マイク１３やスピーカー１４は、音声入出力Ｉ／Ｆに電気的に接続されている。
【００１６】
カメラ１２は、ＣＣＤ（Charge Coupled Device）素子やＣＭＯＳ（Complementary Metal Oxide Semiconductor）素子など、光を電荷に変換して被写体の画像（映像）を電子化する固体撮像素子を有している。そして、撮像によって得た画像情報をデジタルの映像信号として撮像素子Ｉ／Ｆ１７及びバスラインを介してＣＰＵ２１に出力する。また、マイク１３は、自らに入力されたアナログの音声に基づくアナログ音声信号を撮像素子Ｉ／Ｆ１６に出力する。撮像素子Ｉ／Ｆ１６は、そのアナログ音声信号をデジタル音声信号に変換してバスラインを介してＣＰＵ２１に出力する。
【００１７】
ＣＰＵ２１は、図示しないＲＯＭに記録されている制御プログラムに基づいて各種の電子回路部の駆動を制御したり、各種の演算をしたりするものである。そして、カメラ１２から撮像素子Ｉ／Ｆ１７及びバスラインを介して送られてくる映像信号に基づいて送信用映像信号を構築してバスラインを介してネットワークＩ／Ｆ１９に出力する。また、マイク１３から音声入出力Ｉ／Ｆ１８及びバスラインを介して送られてくる音声信号に基づいて送信用音声信号を構築してバスラインを介してネットワークＩ／Ｆ１９に出力する。それらの送信用映像信号や送信用音声信号は、有線ＬＡＮ５０を介して遠隔地の通信装置に送られて、通信装置のディスプレイに映像を表示させたり、通信装置のスピーカーから音声を出力させたりする。
【００１８】
遠隔地の通信装置（例えばタブレット端末）からは、その周囲の人物をカメラで撮影して得られた映像信号や、その周囲の人物の音声をマイクで拾って得られた音声信号などが、有線ＬＡＮ５０を介して送られてくる。そして、テレビ会議装置１０のネットワークＩ／Ｆ１９及びバスラインを介してＣＰＵ２１に入力される。
【００１９】
ＣＰＵ２１は、カメラ１２から撮像素子Ｉ／Ｆ１７及びバスラインを介して送られてくる映像信号と、遠隔地の通信装置からネットワークＩ／Ｆ１９及びバスラインを介して送られてくる映像信号とに基づいて、出力用映像信号を構築する。この出力用映像信号は、遠隔地の周囲にいる人物をプロジェクター３０による画像投写領域のほぼ全域に大きく表示させるとともに、テレビ会議装置１０の周囲にいる人物を表示枠とともに前記画像投写領域の一部に小さく表示させるためのものである。ＣＰＵ２１から出力された出力用映像信号は、バスライン、映像Ｉ／Ｆ１６、映像出力端子１１、及び映像ケーブル５５を介してプロジェクター３０に送られる。
【００２０】
また、ＣＰＵ２１は、遠隔地の通信装置からネットワークＩ／Ｆ１９及びバスラインを介して送られてくる音声信号に基づいて、出力用音声信号を構築する。この出力用音声信号は、遠隔地の通信装置によって取得された音声を、テレビ会議装置１０のスピーカーから出力させるためのものである。ＣＰＵ２１から出力された出力用音声信号は、バスラインを介して音声入出力Ｉ／Ｆ１８に送られる。そして、音声入出力Ｉ／Ｆ１８でアナログ音声信号に変換された後、スピーカー１４からアナログ音声として出力される。
【００２１】
操作部２０は、図示しない複数のボタンを有しており、押下されたボタンに対応する信号を、バスラインを介してＣＰＵ２１に出力する。また、リモコン受信部１５は、会議用リモコン２９から送られてくる命令信号を受信して、バスラインを介してＣＰＵ２１に出力する。ＣＰＵ２１は、操作部２０からバスラインを介して送られてくる信号や、リモコン２９からバスラインを介して送られてくる信号を受信して、それらの信号に対応する処理を実施する。例えば、所定の信号を生成してネットワークＩ／Ｆ１９に出力したり、ＳＳＤ２２を駆動制御してフラッシュメモリーに所定の情報を書き込んだりする。
【００２２】
図３は、プロジェクター３０の電気回路の要部を示すブロック図である。プロジェクター３０は、映像入力端子３１、映像信号処理部３２、ＤＭＤ（Digital Mirror Device）駆動部３３、ＤＭＤ３４、レンズ３５、操作部３６、ＣＷ（Color Wheel）駆動部３７、ＣＷ３８などを有している。また、リモコン受信部３９、ＣＰＵ４０、光源４１、ネットワークＩ／Ｆ４２、光源電力供給部４３、電源回路４４、アドレスバスやデータバス等からなるバスラインなども有している。
【００２３】
ＣＰＵ４０は、バスラインに接続された映像信号処理部３２、ＤＭＤ駆動部３３、ＣＷ駆動部３７、操作部３６、リモコン受寝具３９、ネットワークＩ／Ｆ４２から信号を受け取ったり、それらを駆動制御したりする。また、バスラインを介することなく自らに接続された光源電力供給部４３や電源回路４４を制御する。
【００２４】
プロジェクター３０は、パーソナルコンピュータ、ＤＶＤプレイヤー、セットトップボックスなどの外部機器から送られてくる映像信号に基づく映像を図示しないスクリーンに投写することが可能である。また、テレビ会議装置１０からくられてくる映像信号に基づく映像をスクリーンに投写することも可能である。実施形態では、テレビ会議装置１０の映像出力端子１１と、プロジェクター３０の映像入力端子３１とが映像ケーブル５５によって接続されていることから、プロジェクター３０は、テレビ会議装置１０からくられてくる映像信号に基づく映像をスクリーンに投写する。
【００２５】
テレビ会議装置１０などの外部機器から送られてくる映像信号に対しては、映像信号処理部３２にて、映像のコントラスト調整処理、明るさ調整処理、シャープネス調整処理、スケーリング処理、メニュー情報の重畳(OSD：On Screen Display)処理などが施される。プロジェクター３０の投影方式としては、液晶方式や、ＤＭＤを用いたＤＬＰ（Digital Light Processing）方式などがあるが、実施形態に係るプロジェクター３０では、ＤＬＰ方式を採用している。但し、他の方式を採用してもかまわない。
【００２６】
映像信号処理部３２から出力された映像信号は、ＤＭＤ駆動部３３を介してＤＭＤ３４に送られるとともに、バスラインを介してＣＰＵ４０に送られる。ＤＭＤ３４は、映像信号に基づく画像をレンズ３５に結像させる。このとき、ＣＰＵ４０は、ＣＷ駆動部３７を制御して、赤、青、緑などの色配分がなされた図示しないカラーホイールを回転駆動させる。同時に、ＤＭＤ駆動部３３を制御して、ＤＭＤ３４にて画素毎に配置されたミラーをＯＮ・ＯＦＦ制御する。これにより、レンズ３５から発射された光がスクリーン面に画像を投写する。
【００２７】
ＣＰＵ４０は、光源電力供給部４３を制御することで、光源４１から発せられる光の強さを調整する。光源電力供給部４３に対しては、電源回路４４によって電力が供給される。プロジェクター３０の電源コードがコンセントに繋がっている限り、リモコン受信部３９やＣＰＵ４０に対して、電源回路４４からの電力が無条件で供給されるようになっている。プロジェクターリモコン４９に設けられた図示しない電源ボタンが押下されたことに基づいて、プロジェクターリモコン４９から発信された電源ＯＮ用の信号は、リモコン受信部３９及びバスラインを介してＣＰＵ４０に受信される。すると、ＣＰＵ４０は光源電力供給部４３を駆動して、電源回路４４からの電力を光源４１に供給する。これにより、光源から発せられた光が、ＣＷ３８、ＤＭＤ３４、及びレンズ３５を介してスクリーン面に投射される。なお、電源ＯＮ用の信号については、操作部３６の図示しない電源ボタンを押下することによっても、発生させることが可能である。この場合、操作部３６から発せられた電源ＯＮ用の信号が、バスラインを介してＣＰＵ４０に出力される。
【００２８】
一方用リモコン送信機たるプロジェクターリモコン４９から発せられる信号（以下、プロジェクター操作用信号という）には、プロジェクター３０を操作するための信号である旨を示すコード（後述するカスタムコード）が含まれている。また、他方用リモコン送信機たる会議用リモコン２９から発せられる信号（以下、会議装置操作用信号という）には、テレビ会議装置１０を操作するための信号である旨を示すコード（後述するカスタムコード）が含まれている。
【００２９】
第１電気機器及び第２電気機器のうちの一方として機能するプロジェクター３０のリモコン受信部３９は、プロジェクターリモコン４９から送られてくるプロジェクター操作用信号を受信すると、それを、バスラインを介してＣＰＵ４０に送る。また、会議用リモコン２９から送られてくる会議装置操作用信号を受信すると、それを、バスラインを介してＣＵＰ４０に送る。これにより、ＣＰＵ４０は、プロジェクター操作用信号、及び会議装置操作用信号の両方を受け取る。但し、通常は、テレビ会議装置１０を操作するための信号である旨を示すコードを含む会議装置操作用信号は受け付けず、プロジェクター操作用信号だけを受け付ける。会議装置操作用信号を受け取っても、それに基づく処理を実施しない（受け付けない）のに対し、プロジェクター操作用信号を受け取るとそれに対応する処理を実施する（受け付ける）のである。例えば、会議装置操作用信号の一種である会議装置用電源ＯＮ命令信号を受け取ってもそれに基づく処理を実施しないのに対し、プロジェクター操作用信号の一種であるプロジェクター用電源ＯＮ命令を受け取ると、光源電力供給部４３を制御する。そして、電源回路４４からの電力を光源に供給し始める。
【００３０】
第１電気機器及び第２電気機器のうちの他方として機能するテレビ会議装置１０のリモコン受信部１５は、プロジェクターリモコン４９から送られてくるプロジェクター操作用信号を受信すると、それを、バスラインを介してＣＰＵ２１に送る。また、会議用リモコン２９から送られてくる会議装置操作用信号を受信すると、それを、バスラインを介してＣＵＰ２１に送る。これにより、ＣＰＵ２１は、プロジェクター操作用信号、及び会議装置操作用信号の両方を受け取る。但し、通常は、プロジェクター３０を操作するための信号である旨を示すコードを含むプロジェクター操作用信号は受け付けず、会議装置操作用信号だけを受け付ける。
【００３１】
次に、実施形態に係るテレビ会議システムの特徴的な構成について説明する。
テレビ会議装置１０のＣＰＵ２１や、プロジェクター３０のＣＰＵ４０はそれぞれ、有線ＬＡＮ５０を介した通信プロトコルの送受により、テレビ会議装置１０とプロジェクター３０とが有線ＬＡＮ５０を介して接続されていることを検知することが可能である。つまり、本実施形態では、テレビ会議装置１０において、ネットワークＩ／Ｆ１９、バスライン、及びＣＰＵ２１の組み合わせが接続検知手段として機能している。また、プロジェクター３０において、ネットワークＩ／Ｆ４２、バスライン、及びＣＰＵ４０の組み合わせが接続検知手段として機能している。
【００３２】
プロジェクター３０のＣＰＵ４０は、テレビ会議装置１０との接続を検知しない場合には、既に述べたように、会議装置操作用信号を受け取ってもそれを受け付けない。これに対し、テレビ会議装置１０との接続を検知した場合には、プロジェクター操作用信号に加えて、会議装置操作用信号も受け付ける。例えば、会議装置操作用信号の一種である会議装置用電源ＯＮ信号を受け取ると、プロジェクター３０の電源をＯＮにする。
【００３３】
かかる構成においては、互いに通信可能に接続されたテレビ会議装置１０及びプロジェクター３０のうち、少なくともプロジェクター３０を、会議用リモコン２９及びプロジェクターリモコン４９のどちらでも無線操作することができる。具体的には、プロジェクター３０は、テレビ会議装置１０との接続を検知した場合に、プロジェクターリモコン４９から送られてくるプロジェクター操作用信号の他に、会議用リモコン２９から送られてくる会議装置操作用信号も受け付けるようになる。すると、例えば、プロジェクターリモコン４９の電源ＯＮキー、会議用リモコン２９の電源ＯＮキーの何れを押下しても一方の電源をＯＮすることができるなど、プロジェクター３０をどちらのリモコンでも同様に操作することを可能にする。これにより、ユーザーの利便性を向上させることができる。また、テレビ会議装置１０は、プロジェクター３０との接続を検知した場合に、会議用リモコン２９から送られてくる会議装置操作用信号を受け付けないようになる。これにより、例えば、会議用リモコン２９の電源ＯＮキーを押下した場合に、プロジェクター３０の電源をＯＮするのみならず、テレビ会議装置１０の電源もＯＮしてしまうなど、ユーザーの意図しない余計な操作の発生を回避することができる。
【００３４】
テレビ会議装置１０のＣＰＵ２１は、プロジェクター３０との接続を検知しない場合に、会議用リモコン２９から送られてくる会議装置操作用信号を受け取ると、その会議装置操作用信号を受け付けてその会議装置操作用信号に基づく処理を実施する。これに対し、プロジェクター３０との接続を検知した場合に、基本的には、会議用リモコン２９から送られてくる会議装置操作用信号を受け取っても、それを受け付けないようになっている。
【００３５】
かかる構成では、会議用リモコン２９によってプロジェクター３０だけを操作したい場合に、プロジェクター３０だけでなく、テレビ会議装置１０も操作してしまうというユーザーの意図しない操作の発生を回避することができる。
【００３６】
プロジェクター３０のＣＰＵ４０は、会議用リモコン２９から送られてくる会議装置操作用信号や、プロジェクターリモコン４９から送られてくるプロジェクター操作用信号のうち、所定の命令を行うための命令信号を受信した場合には、次のような処理を行う。即ち、その命令信号を、会議用リモコン２９とは異なる方式でテレビ会議装置１０に送信する。具体的には、命令信号送信手段たるＣＰＵ４０は、前述の命令信号を受信すると、それに対応する命令をテレビ会議装置１０に対して行うための新たな命令信号を生成する。そして、その命令信号を、バスライン、ネットワークＩ／Ｆ４２、及び有線ＬＡＮ５０を介して、テレビ会議装置１０に送る。テレビ会議装置１０における他方式命令受信手段としてのネットワークＩ／Ｆ１９は、受信した前記命令信号を、バスラインを介してＣＰＵ２１に送る。そして、前記命令信号を受け取ったＣＰＵ２１は、プロジェクター３０との接続を検知している場合でも、図４に示されるように、有線ＬＡＮ５０経由で受け取った命令信号については、それを受け付けるようになっている。例えば、前記命令信号として、電源ＯＦＦ信号を受け取った場合には、電源回路２４からの出力をＯＦＦにする。
【００３７】
かかる構成では、電源ＯＦＦなどの所定の命令については、プロジェクター３０経由でテレビ会議装置１０を操作することができる。なお、有線ＬＡＮを介してプロジェクター３０からテレビ会議装置１０に命令信号を送るようにした例について説明したが、他の方式によって命令信号を送るようにしてもよい。例えば、無線ＬＡＮを介して命令信号を送るようにしてもよい。また、映像ケーブル５５として、制御信号も送信することが可能なＨＤＭＩケーブルを用いた場合には、ＨＤＭＩケーブルを介して命令信号を送るようにしてもよい。この場合、テレビ会議装置１０のＨＤＭＩ出力端子を他方式命令受信手段として機能させることになる。
【００３８】
次の表１は、各種のリモコンと、操作キーの有無との関係を示すものである。
【表１】
2016019020.tif 000003
表１に示されるように、電源ＯＮ／ＯＦＦキー、各種の矢印キー、決定キーはそれぞれ、プロジェクターリモコン４９、会議用リモコン２９の何れにも設けられている。よって、それらのキーにそれぞれ対応する命令については、何れのリモコンによっても、プロジェクター３０に対して行うことができる。なお、プロジェクター３０に特有の台形補正処理（投影映像の歪みを補正する処理）を行わせるための台形補正キーについては、２つのリモコンのうち、プロジェクターリモコン４９だけに設けられている。また、テレビ会議装置１０に特有の切断（映像や音声の通信の切断）という命令を行うための切断キーについては、２つのリモコンのうち、会議用リモコン２９だけに設けられている。
【００３９】
図５は、命令信号たるプロジェクター操作用信号や会議装置操作用信号のデータ構造を説明するための模式図である。それらの命令信号は、データ群の先頭に設けられるリーダーコードと、これに続くカスタムコードと、これに続くデータコードとを具備している。リーダーコードは、命令信号の先頭を示すための信号データである。また、カスタムコードは、製造メーカーや、その製造メーカーにおける製品種別を識別するための信号データである。同じ製造メーカーであっても、例えばエアコンとテレビとでは、それぞれ異なった命令特性があることから、製品種別に応じて、命令信号群（後述するデータコードの群）を構築する必要がある。このため、同じ製造メーカーの製品であっても、製品種別に応じて異なったカスタムコードが設けられる。
【００４０】
プロジェクター３０のＣＰＵ４０は、命令信号に含まれるカスタムコードに基づいて、受け取った命令信号について、プロジェクターリモコン４９、会議用リモコン２９、その他のリモコンの何れから送られてきたものなのかを特定する。また、テレビ会議装置１０のＣＰＵ２１も、カスタムコードに基づいて同様の特定を行う。
【００４１】
また、データコードは、例えば電源ＯＦＦなど、命令の内容を表すための信号コードである。次の表２は、プロジェクター操作用信号に含まれるデータコードと、会議装置操作用信号に含まれるデータコードと、リモコン操作キーとの関係を表すものである。
【表２】
2016019020.tif 000004
【００４２】
プロジェクターリモコン４９に設けられた複数の操作キーと、会議用リモコン２９に設けられた複数の操作キーとにおいて、互いの機器で同じ命令を行うためのものが複数存在している。例えば、電源ＯＮ／ＯＦＦキー、各種矢印キー、決定キーなどである。プロジェクターリモコン４９及び会議用リモコン２９は、それらの操作キーについては、その押下に基づいて発する命令信号として、互いに同じデータコマンドを含めたものを発信する処理を実施するようになっている。よって、表２のように、電源ＯＮ／ＯＦＦキーについては、その押下に基づいてプロジェクターリモコン４９から発信されるプロジェクター操作用信号や、会議用リモコン２９から発信される会議装置操作用信号が、互いに同じデータコマンドを具備している。また、各種矢印キーについても、その押下に基づいてプロジェクターリモコン４９から発信されるプロジェクター操作用信号や、会議用リモコン２９から発信される会議装置操作用信号が、互いに同じデータコマンドを具備している。また、決定キーについても、その押下に基づいてプロジェクターリモコン４９から発信されるプロジェクター操作用信号や、会議用リモコン２９から発信される会議装置操作用信号が、互いに同じデータコマンドを具備している。
【００４３】
プロジェクター３０のＣＰＵ４０は、テレビ会議装置１０との接続を検知していない場合には、テレビ会議装置１０に対応するカスタムコードを含む会議装置操作用信号を受け取っても、それを受け付けずに、それに対応する処理を実行しない。これに対し、テレビ会議装置１０との接続を検知している場合には、テレビ会議装置１０に対応するカスタムコードを含む会議装置操作用信号を受け取ると、それを受け付ける。そして、その会議装置操作用信号に含まれるデータコードに対応する処理を実行する。そして、そのデータコードが電源ＯＦＦなど、所定のコードであれば、そのデータコードに対応する命令信号を生成して、バスライン及び有線ＬＡＮ５０を介してテレビ会議装置１０に送信する。
【００４４】
かかる構成において、ユーザーは、２つのリモコンに共通に具備される操作キーについては、何れのリモコンを把持したとしても、共通の操作キーを操作することで、プロジェクター３０やテレビ会議装置１０に対して所望の操作を行うことができる。
【００４５】
会議用リモコン２９やプロジェクターリモコン４９はそれぞれ、操作キーの１つとして、メニュー画面の表示を命令するための図示しないメニューキーを具備している。会議用リモコン２９は、メニューキーが押下されると、それに対応する会議装置操作用信号としての会議装置メニュー命令信号を発信する。また、プロジェクターリモコン４９は、メニューキーが押下されると、それに対応するプロジェクター操作用信号としてのプロジェクターメニュー命令信号を発信する。会議装置メニュー命令信号と、プロジェクターメニュー命令信号とは、互いに同じデータコードを具備している。
【００４６】
プロジェクター３０のＣＰＵ４０は、テレビ会議装置１０との接続を検知していない場合には、会議装置メニュー命令信号と、プロジェクターメニュー命令信号とのうち、後者だけを受け付ける。そして、フラッシュメモリー２３に記憶されている第１メニュー画面（非接続時用）の画像情報を読み込んで、それに基づく第１メニュー画面（非接続時用）を、表示手段によってスクリーン面上に投射させる。この表示手段は、映像信号処理部３２、ＤＭＤ駆動部３３、ＤＭＤ３４、レンズ３５、ＣＷ駆動部３７、ＣＷ３８、光源４１等からなる。
【００４７】
図６は、第１メニュー画面（非接続時用）を示す模式図である。第１メニュー画面（非接続時用）における、映像調整、表示効果、初期設定、及び状態表示は、何れもプロジェクター３０のパラメータを設定するためのものである。
【００４８】
一方、プロジェクター３０のＣＰＵ４０は、テレビ会議装置１０との接続を検知している場合には、会議装置メニュー命令信号と、プロジェクターメニュー命令信号とのうち、両方を受け付ける。そして、フラッシュメモリー２３に記憶されている第１メニュー画面（接続時用）の画像情報を読み込んで、それに基づく第１メニュー画面（接続時用）を、表示手段によってスクリーン面上に投写させる。
【００４９】
図７は、第１メニュー画面（接続時用）を示す模式図である。第１メニュー画面（接続時用）には、第１メニュー画面（非接続時用）とは異なり、映像調整、表示効果、初期設定、及び状態表示の他、テレビ会議設定という項目が含まれている。この第１メニュー画面（接続時用）におけるテレビ会議設定という項目がユーザーのリモコン操作によって選択されると、プロジェクター３０のＣＰＵ４０は、第１メニュー画面（接続時用）に代えて、第２メニュー画面を投写するための処理を実施する。具体的には、第１メニュー画面（接続時用）を投写する処理を終了した後、第２メニュー画面を投写するための映像信号を出力させる命令信号を、有線ＬＡＮ５０を介してテレビ会議装置１０に送る。そして、その命令信号に基づいてテレビ会議装置１０から映像ケーブル５５を介して送られてくる映像信号に基づいて、第２メニュー画面をスクリーンに投写する。このようにして第２メニュー画面を投写（表示）しているときには、矢印キーや決定キーなどの押下に基づいて送られてくる命令信号に基づく処理として、自らの第１メニュー画面を操作するための処理ではなく、第２メニュー画面を操作するための処理を行う。より詳しくは、命令信号に含まれるデータコードに対応する新たな命令信号を生成し、有線ＬＡＮ５０を介してテレビ会議装置１０に送る。これにより、ユーザーは、テレビ会議装置１０に対するメニュー操作を行うことができる。
【００５０】
以上に説明したものは一例であり、本発明は、次の態様毎に特有の効果を奏する。
［態様Ａ］
態様Ａは、自らを操作するためのリモコン送信機（例えば会議用リモコン２９）による無線操作が可能な第１電気機器（例えばテレビ会議装置１０）と、自らを操作するためのリモコン送信機（例えばプロジェクターリモコン４９）による無線操作が可能で、且つ有線（例えば映像ケーブル５５）又は無線によって前記第１電気機器に通信可能に接続された状態で前記第１電気機器から送られてくる所定の信号（例えば映像信号及び音声信号）を利用して所定の処理（例えば投射処理及び音声出力処理）を実施する第２電気機器（例えばプロジェクター）とを備える電気機器システム（例えばテレビ会議システム）において、前記第１電気機器と前記第２電気機器とが有線又無線によって通信可能に接続されていることを検知する接続検知手段（例えばＣＰＵ２１、ＣＰＵ４０）を、前記第１電気機器及び前記第２電気機器に設け、前記第１電気機器及び前記第２電気機器のうち、何れか一方（例えばプロジェクター３０）の前記接続検知手段によって接続が検知されている場合に、前記一方を操作するためのリモコン送信機である一方用リモコン送信機（例えばプロジェクターリモコン４９）から送られてくる命令信号に加えて、他方を操作するためのリモコン送信機である他方用リモコン送信機（例えば会議用リモコン２９）から送られてくる命令信号も受け付ける処理を実施するように、前記一方を構成し、且つ、前記他方の前記接続検知手段によって接続が検知されている場合には、前記他方用リモコン送信機から送られてくる命令信号を受け付けない処理を実施するように、前記他方を構成したことを特徴とするものである。
【００５１】
かかる構成において、第１電気機器及び第２電気機器における一方は、他方との接続を検知した場合に、一方用リモコン送信機から送られてくる命令信号の他に、他方用リモコン送信機から送られてくる命令信号も受け付けるようになる。これにより、例えば、一方用リモコン送信機の電源ＯＮキー、他方用リモコン送信機の電源ＯＮキーの何れを押下しても一方の電源をＯＮすることができるなど、一方をどちらのリモコンでも同様に操作することができる。また、第１電気機器及び第２電気機器における他方は、一方との接続を検知した場合に、他方用リモコンから送られてくる命令信号を受け付けないようになる。これにより、例えば、他方用リモコン送信機の電源ＯＮキーを押下した場合に、一方の電源をＯＮするのみならず、他方の電源もＯＮしてしまうなど、ユーザーの意図しない余計な操作の発生を回避することができる。
【００５２】
［態様Ｂ］
態様Ｂは、態様Ａにおいて、前記一方用リモコン送信機や前記他方用リモコン送信機から送られてくる命令信号のうち、所定の命令を行うための命令信号を受信した場合に、前記命令を行うための命令信号を前記他方に送信する処理を実施するように、前記他方を構成したことを特徴とするものである。かかる構成では、電源ＯＦＦなどの所定の命令については、何れのリモコンによっても、一方経由で他方を操作することが可能なので、利便性をより向上させることができる。
【００５３】
［態様Ｃ］
態様Ｃは、態様Ｂにおいて、前記一方の各種パラメータを設定するための一方用メニュー画面（例えば第１メニュー画面）、及び前記他方の各種パラメータを設定するための他方用メニュー画面（例えば第２メニュー画面）を表示する表示手段（例えば映像信号処理部３２、ＤＭＤ駆動部３３、ＤＭＤ３４、レンズ３５、ＣＷ駆動部３７、ＣＷ３８、光源４１等）を前記一方に設け、前記一方用メニュー画面が前記表示手段に表示されているときに、前記一方用リモコン送信機や前記他方用リモコン送信機から送られてくる命令信号のうち、所定の命令を行うための命令信号（例えば会議装置メニュー命令信号）を前記他方に送信しない一方で、前記他方用メニュー画面が前記表示手段に表示されているときに、前記命令信号を他方に送信する処理を実施するように、前記命令信号送信手段を構成したことを特徴とするものである。かかる構成において、ユーザーは、必要に応じて一方を経由した操作により、他方に対するメニュー操作を行うことができる。
【００５４】
［態様Ｄ］
態様Ｄは、態様Ａ〜Ｃの何れかにおいて、前記一方用リモコン送信機に設けられた複数の操作キーと、前記他方用リモコン送信機に設けられた複数の操作キーとのうち、互いに同じ命令を行うための操作キーについては、それぞれその操作キーの押下に基づいて発する命令信号として、互いに同じ命令コマンドを含めたものを発信する処理を実施するように、前記一方用リモコン送信機及び前記他方用リモコン送信機を構成したことを特徴とするものである。かかる構成において、ユーザーは、２つのリモコン送信機に共通に具備される操作キーについては、何れのリモコン送信機を把持したとしても、共通の操作キーを操作することで、一方や他方に対して所望の操作を行うことが可能である。これにより、利便性をより向上させることができる。
【００５５】
［態様Ｅ］
態様Ｅは、態様Ａ〜Ｄの何れかであって、前記第１電気機器が、自らの周囲にいる人物と遠隔地にいる人物との会議を可能にするために、前記遠隔地に配設された通信機器との通信ネットワークを介した通信により、自らと前記通信機器とで映像信号及び音声信号を通信する遠隔会議装置（例えばテレビ会議装置１０）であり、且つ、前記第２電気機器が、前記遠隔会議装置から出力される映像信号及び音声信号に基づく映像及び音声を画像表示及び音声出力で再現する画像音声再現装置（例えばプロジェクター３０）であることを特徴とするものである。
【符号の説明】
【００５６】
１０：テレビ会議装置（第１電気機器、他方、遠隔会議装置）
１９：ネットワークＩ／Ｆ（他方式命令受信手段）
２１：ＣＰＵ（接続検知手段、
２９：会議用リモコン（他方用リモコン送信機）
３０：プロジェクター（第２電気機器、一方、画像音声再現装置）
３２：映像信号処理部（表示手段の一部）
３３：ＤＭＤ駆動部（表示手段の一部）
３４：ＤＭＤ（表示手段の一部）
３５：レンズ（表示手段の一部）
３７：ＣＷ駆動部（表示手段の一部）
３８：ＣＷ（表示手段の一部）
４１：光源（表示手段の一部）
４０：ＣＰＵ（接続検知手段、命令信号送信手段、
４９：プロジェクターリモコン（一方用リモコン送信機）
５５：映像ケーブル（有線）
【先行技術文献】
【特許文献】
【００５７】
【特許文献１】特開２０１１−９１４６２号公報
【図１】
2016019020.tif 000005
【図２】
2016019020.tif 000006
【図３】
2016019020.tif 000007
【図４】
2016019020.tif 000008
【図５】
2016019020.tif 000009
【図６】
2016019020.tif 000010
【図７】
2016019020.tif 000011